(57)【特許請求の範囲】
【請求項１】
容器本体と、容器本体上部を覆うキャップと、容器本体の下部に装着する底蓋とを備える底蓋付き容器であって、
容器本体は、内壁部と、内壁部の下部に配設される底壁部と、内壁部の外側に設けられる外壁部とからなり、
底蓋は、基板部と、基板部の上面に立設される内筒部と、内筒部の外側に立設される外筒部とからなり、
容器本体は、内壁部の下部の外周側に第１溝部と、外壁部の下部の内周側に第２溝部とを設け、底蓋は、内筒部の内周側に第１突起部と、外筒部の外周側に第２突起部とを設け、第１溝部と第１突起部とによる第１嵌合および第２溝部と第２突起部とによる第２嵌合の２箇所で嵌合させることによって、底蓋を容器本体に装着することを特徴とする底蓋付き容器。
【請求項２】
外筒部は、基板部の縁端部に設けられ、底蓋が容器本体に装着されたときに、外壁部の内周側に設けられた縦リブの下端面が外筒部の上端面に当接することを特徴とする請求項１に記載の底蓋付き容器。
【請求項３】
容器本体の内壁部の下端または底壁部に装着筒部を垂設し、第１溝部が装着筒部に設けられていることを特徴とする請求項１または２に記載の底蓋付き容器。
【請求項４】
第１嵌合と第２嵌合の高さ方向の位置が、上下にずれていることを特徴とする請求項１〜３のいずれかに記載の底蓋付き容器。
【請求項５】
外筒部と基板部との間に補強リブが設けられていることを特徴とする請求項１〜４のいずれかに記載の底蓋付き容器。
【発明の詳細な説明】
【技術分野】
【０００１】
本発明は、収納容器の内壁部の外側に外壁部を設け、底蓋を内壁部と外壁部の２箇所の嵌合で装着する底蓋付き容器に関するものである。
【背景技術】
【０００２】
化粧品などの収納容器の場合、装飾性やデザイン性に優れていることが要望されているため、内容物が収納された容器本体の内壁の外側に装飾性に優れた外壁を有する容器が知られている。
また、容器本体の外壁の外側にさらに外装体を設け、外壁と外装体を固定するために、容器用抜け止め部材を容器本体の下部に装着した容器が知られている（例えば、特許文献１参照）。
【先行技術文献】
【特許文献】
【０００３】
【特許文献１】特開２０１０−１５５６２６号公報
【発明の概要】
【発明が解決しようとする課題】
【０００４】
しかしながら、上記特許文献１記載の容器は、容器本体５に被装着部５７を設け、容器用抜け止め部材６に設けられた装着爪部６２と嵌合させるとともに、装着爪部６２の外側に設けられた押さえ筒部６１で、容器用外装体４を下側から押さえて、外装体４を固定するものであり、押さえ筒部６１は単なる押さえに過ぎず、嵌合部分が装着爪部６２による一箇所であるため、容器用抜け止め部材６に横方向の外力が加わった場合、嵌合が外れやすいという問題があった。
【０００５】
本発明は、上記のような問題を解決することを課題とし、容器本体との嵌合部分を２箇所とする底蓋を設けて、嵌合を強化するとともに、容器に外力が加わった場合にも嵌合が外れにくい底蓋付き容器を提供することを目的とする。
【課題を解決するための手段】
【０００６】
本発明は、上記の課題を解決するため、底蓋付き容器として、容器本体と、容器本体上部を覆うキャップと、容器本体の下部に装着する底蓋とを備える底蓋付き容器であって、容器本体は、内壁部と、内壁部の下部に配設される底壁部と、内壁部の外側に設けられる外壁部とからなり、底蓋は、基板部と、基板部の上面に立設される内筒部と、内筒部の外側に立設される外筒部とからなり、容器本体は、内壁部の下部の外周側に第１溝部と、外壁部の下部の内周側に第２溝部とを設け、底蓋は、内筒部の内周側に第１突起部と、外筒部の外周側に第２突起部とを設け、第１溝部と第１突起部とによる第１嵌合および第２溝部と第２突起部とによる第２嵌合の２箇所で嵌合させることによって、底蓋を容器本体に装着することを特徴とする構成を採用する。
【０００７】
底蓋付き容器の具体的実施形態として、外筒部は、基板部の縁端部に設けられ、底蓋が容器本体に装着されたときに、外壁部の内周側に設けられた縦リブの下端面が外筒部の上端面に当接することを特徴とする構成、容器本体の内壁部の下端または底壁部に装着筒部を垂設し、第１溝部が装着筒部に設けられていることを特徴とする構成を採用する。
【０００８】
さらなる底蓋付き容器の具体的実施形態として、第１嵌合と第２嵌合の高さ方向の位置が、上下にずれていることを特徴とする構成、外筒部と基板部との間に補強リブが設けられていることを特徴とする構成を採用する。
【発明の効果】
【０００９】
本発明の底蓋付き容器は、嵌合部分が第１嵌合と第２嵌合の２箇所となって、嵌合が強化されるとともに、容器に横方向から外力がかかった場合に、片方のアンダーカットが外れる方向に変形しても、もう片方のアンダーカットはより強く嵌合する方向に変形して、嵌合部分が外れにくい容器とすることができる。
【００１０】
また、内壁部の外側に外壁部を設けることによって、内壁部による容器本来の収納容器としての役割とともに外壁部により装飾性を持たせることが可能となり、使用性と装飾性の兼ね備えた容器とすることができる。
【図面の簡単な説明】
【００１１】
【図１】本発明の実施例の底蓋付き容器で、底蓋と容器本体が２箇所で嵌合した状態を示す半断面図である。
【図２】本発明の実施例の底蓋付き容器において、容器本体に底蓋を装着する前の状態を示す図であり、（ａ）は容器本体の半断面図であり、（ｂ）は底壁の半断面図である。
【図３】本発明の実施例の底蓋付き容器の図１の要部拡大図である。
【発明を実施するための形態】
【００１２】
次に、本発明の底蓋付き容器について、クリーム等の内容物を収容する容器とした場合の実施例を示した図面を参照して説明する。
【実施例】
【００１３】
図１〜３において、Ａは容器本体、Ｂは容器本体Ａに嵌合して装着される底蓋、Ｃはキャップである。
容器本体Ａは、筒状の内壁部２と、内壁部２の下端から底壁部３が配設されている。
容器本体Ａの内壁部２は、上部において開口し、その開口部の上面を覆うシール部１が設けられ、内容物を密封するとともに、内壁部２の上部の外周面にねじ部４が設けられている。
【００１４】
本実施例では、内壁部２の外側に突出するフランジ部５を設け、フランジ部５を介して外壁部６が設けられている。
また、本実施例では、内壁部２の下端から底壁部３とは別に装着筒部７が垂設されている。
外壁部６は、下部に向けて縮径するとともに、内周側に縦リブ８が設けられ、底蓋Ｂが嵌合する際には、縦リブ８の下端面は、後述する底蓋Ｂの外筒部１２の上端面に当接している。
また、本実施例においては、底壁部３は内容物を取り出しやすくするために丸い曲面を有している。
【００１５】
キャップＣは、天板３０と、天板３０の周縁から垂設される側壁３１とからなり、側壁３１の内周にねじ部３２を設け、螺合により容器本体Ａに装着されている。
なお、キャップＣの形状はどのようなものでもよく、ヒンジキャップ等を採用することも可能である。また、容器本体Ａとの装着も螺合でなくどのようなものでもよく、アンダーカット嵌合等の係合方法を含め、本発明においては問わない。
【００１６】
底蓋Ｂは、円盤状の基板部１０と、基板部１０の上面に立設される内筒部１１と、内筒部１１の外側の外筒部１２とからなり、内筒部１１は、装着筒部７の外側に、外筒部１２は外壁部６の内側になるように設けられている。
本実施例では、外筒部１２は基板部１０の縁端部に設けられ、底蓋Ｂが容器本体Ａに装着されたとき、縦リブ８の下端面が外筒部の１２の上端面に当接するとともに、外壁部６の下端部が基板部１０の縁端の下部に達するように設けられている。
外筒部１２の内面側には、基板部１０に下端部で結合する三角板状の補強リブ１３が設けられている。
本実施例においては、補強リブ１３は８〜１２個設けられている。
【００１７】
図３に示すように、容器本体Ａと底蓋Ｂとの嵌合が第１嵌合ａおよび第２嵌合ｂの２箇所設けられている。
装着筒部７の下部の外周側には、滑らかな凹条の第１溝部１４が、外壁部６の下部の内周側には同じく滑らかな凹条の第２溝部１５がそれぞれ全周にわたって設けられ、また、底蓋Ｂの内筒部１１の内周側には第１突起部１６が設けられ、外筒部１２の外周側には第２突起部１７が設けられ、底蓋Ｂが容器本体Ａに装着されるときに、第１溝部１４と第１突起部１６とによる第１嵌合ａおよび第２溝部１５と第２突起部１７による第２嵌合ｂの２箇所でアンダーカット嵌合する。
本実施例では、第１嵌合ａと第２嵌合ｂのそれぞれの嵌合部分の位置には高低差があり、第１嵌合ａのほうが第２嵌合ｂより高い位置に設けられており、外力がかかった場合にも、同時に同じ強い力がかからないようになっている。
本実施例の第１突起部１６と第２突起部１７は、第１溝部１４と第２溝部１５にそれぞれ係合しあう第１斜面部１８と第２斜面部１９と、第１溝部１４と第２溝部１５に対してそれぞれ係止するための第１係止部２０と第２係止部２１とからなっている。
第１突起部１６および第２突起部１７は、全周でなくてもよく、間欠的に設けられており、本実施例では第２突起部１７は第１突起部１６より多く間欠的に設けられている。
【００１８】
次に、本実施例の使用態様と作用効果について図面を参照しながら説明する。
本実施例の容器本体Ａおよび底蓋Ｂは、ポリプロピレン樹脂のような可撓性の合成樹脂を使用し、それぞれ金型によって一体成形で製造することができる。
容器本体Ａの製造においては、金型離型時に、装着筒部７および外壁部６の第１溝部１４および第２溝部１５に基づくアンダーカットに対して、アンダーカットの反対側のキャビティおよびコアを先に抜いて、空間を設けることができるので、アンダーカットの反対側に装着筒部７および外壁部６が変形しやすくなり、アンダーカット無理抜き成型が可能となる。
また、容器本体Ａの第１溝部１４と第２溝部１５のアンダーカットと同様に、底蓋Ｂの第１突起部１６と第２突起部１７のアンダーカットに対しても無理抜き成型したり、底蓋Ｂの第１突起部１６と第２突起部１７のアンダーカットの一方側のみを無理抜き成型した場合でも、２箇所で嵌合させるので、嵌合部分が外れにくい。
【００１９】
次に、図２に示す状態から図３に示すように、底蓋Ｂを容器本体Ａに装着する。
底蓋Ｂの外筒部１２の外端面を外壁部６の内端面に宛い、底蓋Ｂを押し上げていくと、それぞれ第１溝部１４と第２溝部１５に、第１突起部１６の第１斜面部１８と第２突起部１７の第２斜面部１９が滑り込み、さらに、第１係止部２０と第２係止部２１によって係止されるとともに、外筒部１２の上端面が縦リブ８の下端面に当接して、底蓋Ｂと容器本体Ａとの第１嵌合ａと第２嵌合ｂの２箇所の嵌合が終了する。
【００２０】
本実施例では、２箇所の嵌合部分を有しているので、嵌合部分が１箇所の場合より、底蓋Ｂと容器本体Ａとの嵌合が強められる。
さらに、容器本体Ａに横方向に外力が働いたときにも、嵌合部分の溝方向がそれぞれ逆に設けられているため、一方が外れる方向に変形しても、もう一方がより強く嵌合する方向に変形するため、底蓋Ｂと容器本体Ａとの嵌合が外れることがない。
【００２１】
もう１箇所を嵌合でなく、超音波接着やメルト接着などによる接着とした場合には、付帯設備が必要となるとともに強度不足となるおそれがあり、それに対し本発明のように嵌合を２箇所設けることによって簡便で嵌合強度も増し、また容器本体と底蓋とを破壊することなく分別分離することも可能である。
【００２２】
本実施例では、容器本体Ａの底壁部３が曲面なため、内壁部２に装着筒部７が垂設されているが、装着筒部７は必須ではなく、内壁部２に直接第１溝部１４を設けることも可能である。
また、装着筒部７を底壁部３の下部に垂設することも可能である。
なお、本実施例では、内壁部２にフランジ部５を介して外壁部６が設けられているが、外壁部６が内壁部２の外側になるように設けることができれば、フランジ部５はなくてもよい。
【産業上の利用可能性】
【００２３】
本発明の底蓋付き容器は、底蓋が容器本体に２箇所で嵌合するため、嵌合が１箇所の場合より嵌合が強まり、さらに、嵌合部分の溝方向がそれぞれ逆に設けられているので、横方向の外力に対しても嵌合が外れることがない。
また、容器本体の内壁部の外側に外壁部を設けることにより内壁部による使用性と外壁部による装飾性とを兼ね備えた容器とすることができ、整髪料や洗顔料など化粧品用の容器として好適に利用できる。
【符号の説明】
【００２４】
Ａ              容器本体
Ｂ              底蓋
Ｃ              キャップ
ａ              第１嵌合
ｂ              第２嵌合
１              シール部
２              内壁部
３              底壁部
４              ねじ部
５              フランジ部
６              外壁部
７              装着筒部
８              縦リブ
１０              基板部
１１              内筒部
１２              外筒部
１３              補強リブ
１４              第１溝部
１５              第２溝部
１６              第１突起部
１７              第２突起部
１８              第１斜面部
１９              第２斜面部
２０              第１係止部
２１              第２係止部
３０              天板
３１              側壁
３２              ねじ部
【図１】
0006987452.tif 000002
【図２】
0006987452.tif 000003
【図３】
0006987452.tif 000004